(57)【要約】
【課題】  荷物のストッパ金具を付設した荷受け用金属製パレットにおいて、荷物積載時又は搬送時に、ストッパ金具のビス頭部などで荷物を損傷させずに載置して荷物の転がり落ちや滑り落ちを確実に防止する。
【解決手段】  パレットＰは、脚部フレーム材１０上の長尺プレート材１１の端部１１ａ間に、積載荷物の移動を規制するストッパ金具Ｓを取り付ける。ストッパ金具Ｓは、脚部フレーム材１０上に下端１５ａを固着する立て板部１５と、その立て板部１５から積載荷物側へ荷物形状に応じて角度可変に曲げ延びる受け板部２０を設け、その受け板部２０の下端に、脚部フレーム材１０の幅方向内側縁１０ｄと係合するフック部２０ａを曲げ成形してなる。
【選択図】          図１
0003100759.tif 000002
【実用新案登録請求の範囲】
【請求項１】
複数の平行な脚部フレーム材上に、それらと直交する向きに複数の長尺プレート材を固着して全体に格子状に組み付け、該長尺プレート材上に荷物を積載する天板部を形成してなる荷受け用金属製パレットにおいて、
前記脚部フレーム材上の前記長尺プレート材の端部間に積載荷物の移動を規制するストッパ金具を取り付け、
該ストッパ金具は、前記脚部フレーム材上に下端を固着する立て板部と、その立て板部から積載荷物側へ荷物形状に応じて角度可変に曲げ延びる受け板部を設け、その受け板部の下端に、前記脚部フレーム材の幅方向内側縁と係合するフック部を曲げ成形してなることを特徴とする、荷受け用金属製パレット。
【考案の詳細な説明】
【技術分野】
【０００１】
本考案は、たとえばフォークリフトを使って積載荷物を搬送するのに好適な荷受け用金属製パレットに関する。
【背景技術】
【０００２】
従来、この種の荷受け用金属製パレット、たとえばスチール製パレットは、図５に示すように、複数の平行な脚部フレーム材１上に、それらと直交する向きに複数の長尺プレート材２を固着して全体に格子状に組み付け、長尺プレート材２上に荷物Ｂを積載する天板部３を形成した構造になっている。そして特に、荷物Ｂの載置時や搬送時に、積載荷物が転がり落ちたりするのを防止する複数のストッパ金具４が付設されている。これらストッパ金具４は、基板のブラケット４ａ上に山形のストッパ板４ｂをビス止めして組み立てられ、ブラケット４ａを長尺プレート材２に嵌め付けてビス止めした構成になっている。
【考案の開示】
【考案が解決しようとする課題】
【０００３】
ところが、従来の荷受け用金属製パレットでは、ストッパ金具４を、荷物Ｂが載置される長尺プレート材２上に取り付け、しかも、多くのビスを用いて固着した構成であるため、積載荷物が、むき出しのストッパ板４ｂ等の角やビス頭部に当ったり引っ掛かったりし、これが原因で、荷物Ｂが損傷しやすいという課題があった。さらには、固定用ビスは、それ自体、腐食すると外れやすく、しかも、積載荷物が重量物のような場合には、その荷重を受けて外れてしまうこともあり、その結果、従来のストッパ金具４を用いた構造では、荷物Ｂの転がり落ちなどを確実には防止できず、安全性に欠けるという課題があった。
【課題を解決するための手段】
【０００４】
そこで、上述した課題を解決すべく、請求項１に記載の考案は、たとえば以下に示す図示実施の形態のとおり、複数の平行な脚部フレーム材１０上に、それらと直交する向きに複数の長尺プレート材１１を固着して全体に格子状に組み付け、該長尺プレート材１１上に荷物Ａを積載する天板部１２を形成してなる荷受け用金属製パレットＰにおいて、前記脚部フレーム材１０上の前記長尺プレート材１１の端部間に積載荷物の移動を規制するストッパ金具Ｓを取り付け、該ストッパ金具Ｓは、前記脚部フレーム材１０上に下端１５ａを固着する立て板部１５と、その立て板部１５から積載荷物側へ荷物形状に応じて角度可変に曲げ延びる受け板部２０を設け、その受け板部２０の下端に、前記脚部フレーム材１０の幅方向内側縁１０ｄと係合するフック部２０ａを曲げ成形してなることを特徴とする。
【考案の効果】
【０００５】
請求項１に記載の考案の荷受け用金属製パレットＰによれば、天板部１２上に荷物Ａを積載したり搬送したりするとき、ストッパ金具Ｓは、受け板部２０に重量のある積載荷物が当っても、フック部２０ａが脚部フレーム材１０の幅方向内側縁１０ｄに係合しているため、脚部フレーム材１０で積載荷物の外向きの荷重を受け止めることができ、これによって荷物の動きを規制し、荷物が転がり落ちたり滑り落ちたりすることを確実に防止することができる。また、ストッパ金具Ｓは、荷物載置面となる天板部１２より一段低い脚部フレーム材１０上に取り付け、且つ固着箇所も天板部１２の外縁に位置するため、荷物が固定用のビス頭部などに当ったり引っ掛かったりすることがなく、これによって、荷物を傷付けずに載置して荷物の転がり落ちや滑り落ちを防止することができる。
【考案を実施するための最良の形態】
【０００６】
以下、図面を参照しつつ、本考案の実施の形態について説明する。
【０００７】
図１に、本考案による荷受け用金属製パレットの一例を示す。図中符号Ｐで示す本考案のパレットは、共にスチール製の脚部フレーム材１０と長尺プレート材１１とを用い、互いに平行に配設した３本の脚部フレーム材１０上に、それらと直交する向きに６枚の長尺プレート材１１をスポット溶接等で固着して格子状に組み付けている。そして、長尺プレート材１１上に荷物Ａを積載する天板部１２を形成している。脚部フレーム材１０は、上下の長手プレート材１０ａ・１０ｂ間に角柱状をなす複数の補強柱１０ｃを挟んで固着してなり、補強柱１０ｃ間にフォークリフトのフォーク差込口１３を形成している。
【０００８】
そこで特に、パレットＰには、前後２本の脚部フレーム材１０上にあって、長尺プレート材１１の端部１１ａ間にストッパ金具Ｓを取り付けている。ストッパ金具Ｓは、スチール板を用いて曲げ成形し、図２に拡大して示すように、ビス穴１６をあけた下端１５ａから立ち上がる立て板部１５と、立て板部１５からく字状に曲げ延びる受け板部２０を設け、更に受け板部２０の下端を内向きに屈曲させて、そこにフック部２０ａを形成してなる。そして、立て板部１５に対し受け板部２０を、積載する荷物の形状に応じて角度可変に曲げ成形してなる。従って、図示例のごとく非鉄金属板の巻物を積載する場合、ストッパ金具Ｓは、このロール状の荷物形状に合わせて、受け板部２０が立て板部１５に対し所望の傾斜角度になるように曲げ成形している。一方、たとえば積載荷物が箱形の場合は、箱状の荷物形状に合わせて、受け板部２０が立て板部１５に対し直角になるように曲げ成形する。
【０００９】
さて、斯かる形状のストッパ金具Ｓは、図３に示すように、フック部２０ａを、脚部フレーム材１０の幅方向内側縁１０ｄに係合させる一方、立て板部１５の下端１５ａを、脚部フレーム材１０上で反対の外側縁寄りにビス止めする。このようにしてストッパ金具Ｓを取り付け、図１に示すごとく、受け板部２０が対向する内向き状態で、それぞれストッパ金具Ｓを前後２本の脚部フレーム材１０上に付設する。
【００１０】
したがって、本考案のパレットＰにおいて、例えば図４に示すように、天板部１２上に巻物タイプの荷物Ａを積載し、フォーク差込口１３にフォークリフトのフォークを差し込んで搬送するとき、ストッパ金具Ｓは、受け板部２０に重量のある積載荷物が当っても、フック部２０ａが脚部フレーム材１０の内側縁１０ｄに係合しているため、脚部フレーム材１０で積載荷物の外向きの荷重を受け止めることができ、これによって荷物Ａの動きを規制して転がり落ちを防止する。
【００１１】
また、ストッパ金具Ｓは、荷物載置面となる天板部１２より一段低い脚部フレーム材１０上に取り付け、且つビス頭部も天板部１２の外縁に位置するため、荷物Ａがビス頭部などに当ったり引っ掛かったりすることがなく、これによって荷物Ａを損傷させずに載置して転がり落ちを防止する。
【００１２】
なお、図示パレットＰは、それ自体の保管時又は運搬時に多段に積み重ねる場合、９０度向きを交互に違えて重ねると、ストッパ金具Ｓが脚部フレーム材１０間のスペースに入り込んで邪魔にならず、それだけ嵩張らずに効率よく積み重ねられる。
【図面の簡単な説明】
【００１３】
【図１】本考案による荷受け用金属製パレットの全体構造を示す斜視図である。
【図２】ストッパ金具の形状を示す斜視図である。
【図３】ストッパ金具の取付構造を示す部分拡大斜視図である。
【図４】パレットに荷物を積載した使用状態を示す斜視図である。
【図５】従来の荷受け用金属製パレットの構造を示す斜視図である。
【符号の説明】
【００１４】
Ａ          荷物
Ｐ          パレット
Ｓ          ストッパ金具
１０        脚部フレーム材
１１        長尺プレート材
１２        天板部
１５        立て板部
２０        受け板部
２０ａ      フック部
【図１】
0003100759.tif 000003
【図２】
0003100759.tif 000004
【図３】
0003100759.tif 000005
【図４】
0003100759.tif 000006
【図５】
0003100759.tif 000007